【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
液晶セルと、
該液晶セルの外側に配置された２枚の偏光板と、
該液晶セルと該偏光板の間の両方に配置される光学異方性層とを有し、
該光学異方性層がラクトン環含有重合体を含み、該光学異方性層における面内レタデーションＲｅと厚み方向のレタデーションＲｔｈが下記式（Ｃ）、（Ｄ）を満たすＶＡ（垂直配向）型液晶表示装置。
（Ｃ）  ３０ｎｍ  ≦Ｒｅ（５５０）≦  ８０ｎｍ
（Ｄ）  ７５ｎｍ  ≦Ｒｔｈ（５５０）≦  １５５ｎｍ
【請求項２】
前記ラクトン環含有重合体を含む光学異方性層が、レタデーション発現剤を少なくとも１種含む請求項１に記載のＶＡ（垂直配向）型液晶表示装置。
【請求項３】
前記レタデーション発現剤が下記一般式（Ｉ）で表される化合物である請求項２に記載のＶＡ（垂直配向）型液晶表示装置。
式(Ｉ)
【化１】
2009098667.tif 000001
（式中、Ｘ１は、単結合、−ＮＲ４−、−Ｏ−又はＳ−であり；Ｘ２は、単結合、−ＮＲ５−、−Ｏ−又はＳ−であり；Ｘ３は、単結合、−ＮＲ６−、−Ｏ−又はＳ−である。また、Ｒ１、Ｒ２、及びＲ３は、それぞれ独立に、アルキル基、アルケニル基、芳香族環基又は複素環基であり、Ｒ４、Ｒ５及びＲ６は、それぞれ独立に、水素原子、アルキル基、アルケニル基、アリール基又は複素環基を表す。)
【請求項４】
前記レタデーション発現剤が下記一般式（II）で表される化合物であることを特徴とする請求項２に記載のＶＡ（垂直配向）型液晶表示装置。
式(II)
【化２】
2009098667.tif 000002
（式中、Ｌ１及びＬ２は各々独立に単結合又は二価の連結基を表す。Ａ１及びＡ２は各々独立に、−Ｏ−、−ＮＲ−（Ｒは水素原子又は置換基を表す。）、−Ｓ−及び−ＣＯ−からなる群から選ばれる基を表す。Ｒ１、Ｒ２、及びＲ３は各々独立に置換基を表す。Ｘは６族、５族又は４族原子を表す。ｎは０から２までの整数を表す。）
【請求項５】
前記レタデーション発現剤が下記一般式（ＩＩＩ）で表される化合物である請求項２に記載のＶＡ（垂直配向）型液晶表示装置。
式(III)  Ａｒ１−Ｌ２−Ｘ−Ｌ３−Ａｒ２
（式中、Ａｒ１及びＡｒ２は、それぞれ独立に、芳香族基であり、Ｌ２及びＬ３は、それぞれ独立に、−Ｏ−ＣＯ−又はＣＯ−Ｏ−基より選ばれる二価の連結基であり、Ｘは、１，４−シクロへキシレン基、ビニレン基又はエチニレン基である。)
【請求項６】
前記ラクトン環重合体を含有する光学異方性層が、少なくとも１方向に延伸されたものである請求項１〜５のいずれか１項に記載のＶＡ（垂直配向）型液晶表示装置。
【請求項７】
前記延伸時の延伸倍率が１.３〜５倍である請求項６に記載のＶＡ（垂直配向）型液晶表示装置。
【請求項８】
液晶セルと、
該液晶セルの外側に配置された２枚の偏光板と、
該液晶セルと該偏光板の間のどちらか一方に配置される光学異方性層とを有し、
該光学異方性層がラクトン環含有重合体を含み、該光学異方性層における面内レタデーションＲｅと厚み方向のレタデーションＲｔｈが下記式（Ａ）、（Ｂ）を満たすＶＡ（垂直配向）型液晶表示装置。
（Ａ）  ４０ｎｍ  ≦Ｒｅ（５５０）≦  ２７５ｎｍ
（Ｂ）  ０ｎｍ  ≦Ｒｔｈ（５５０）≦  ２７５ｎｍ
〔式中、Ｒｅ（５５０）、Ｒｔｈ（５５０）は、波長５５０（ｎｍ）における面内、及び、厚み方向のレタデーション（ｎｍ）を表す〕
【請求項９】
光源と、
一対の基板と該基板に挟持された液晶層とを有する液晶セルと、
ラクトン環含有重合体を含有する熱可塑性樹脂組成物を含むフィルムと
を少なくとも有し、
該フィルムが、該液晶セルの該光源に近い側に配置されているＶＡ（垂直配向）型液晶表示装置。
【手続補正２】
【補正対象書類名】明細書
【補正対象項目名】００１７
【補正方法】変更
【補正の内容】
【００１７】
我々は上記課題を解決すべく、鋭意検討を重ねた結果、以下に示す光学補償シート、偏光板、及び液晶表示装置を見出し、本発明を完成するに至った。
即ち、本発明の上記の目的は以下の手段により達成される。
＜１＞
液晶セルと、
該液晶セルの外側に配置された２枚の偏光板と、
該液晶セルと該偏光板の間の両方に配置される光学異方性層とを有し、
該光学異方性層がラクトン環含有重合体を含み、該光学異方性層における面内レタデーションＲｅと厚み方向のレタデーションＲｔｈが下記式（Ｃ）、（Ｄ）を満たすＶＡ（垂直配向）型液晶表示装置。
（Ｃ）  ３０ｎｍ  ≦Ｒｅ（５５０）≦  ８０ｎｍ
（Ｄ）  ７５ｎｍ  ≦Ｒｔｈ（５５０）≦  １５５ｎｍ
＜２＞
前記ラクトン環含有重合体を含む光学異方性層が、レタデーション発現剤を少なくとも１種含む＜１＞に記載のＶＡ（垂直配向）型液晶表示装置。
＜３＞
前記レタデーション発現剤が下記一般式（Ｉ）で表される化合物である＜２＞に記載のＶＡ（垂直配向）型液晶表示装置。
式(Ｉ)
【化１】
2009098667.tif 000003
（式中、Ｘ１は、単結合、−ＮＲ４−、−Ｏ−又はＳ−であり；Ｘ２は、単結合、−ＮＲ５−、−Ｏ−又はＳ−であり；Ｘ３は、単結合、−ＮＲ６−、−Ｏ−又はＳ−である。また、Ｒ１、Ｒ２、及びＲ３は、それぞれ独立に、アルキル基、アルケニル基、芳香族環基又は複素環基であり、Ｒ４、Ｒ５及びＲ６は、それぞれ独立に、水素原子、アルキル基、アルケニル基、アリール基又は複素環基を表す。)
＜４＞
前記レタデーション発現剤が下記一般式（II）で表される化合物であることを特徴とする＜２＞に記載のＶＡ（垂直配向）型液晶表示装置。
式(II)
【化２】
2009098667.tif 000004
（式中、Ｌ１及びＬ２は各々独立に単結合又は二価の連結基を表す。Ａ１及びＡ２は各々独立に、−Ｏ−、−ＮＲ−（Ｒは水素原子又は置換基を表す。）、−Ｓ−及び−ＣＯ−からなる群から選ばれる基を表す。Ｒ１、Ｒ２、及びＲ３は各々独立に置換基を表す。Ｘは６族、５族又は４族原子を表す。ｎは０から２までの整数を表す。）
＜５＞
前記レタデーション発現剤が下記一般式（ＩＩＩ）で表される化合物である＜２＞に記載のＶＡ（垂直配向）型液晶表示装置。
式(III)  Ａｒ１−Ｌ２−Ｘ−Ｌ３−Ａｒ２
（式中、Ａｒ１及びＡｒ２は、それぞれ独立に、芳香族基であり、Ｌ２及びＬ３は、それぞれ独立に、−Ｏ−ＣＯ−又はＣＯ−Ｏ−基より選ばれる二価の連結基であり、Ｘは、１，４−シクロへキシレン基、ビニレン基又はエチニレン基である。)
＜６＞
前記ラクトン環重合体を含有する光学異方性層が、少なくとも１方向に延伸されたものである＜１＞〜＜５＞のいずれか１項に記載のＶＡ（垂直配向）型液晶表示装置。
＜７＞
前記延伸時の延伸倍率が１.３〜５倍である＜６＞に記載のＶＡ（垂直配向）型液晶表示装置。
＜８＞
液晶セルと、
該液晶セルの外側に配置された２枚の偏光板と、
該液晶セルと該偏光板の間のどちらか一方に配置される光学異方性層とを有し、
該光学異方性層がラクトン環含有重合体を含み、該光学異方性層における面内レタデーションＲｅと厚み方向のレタデーションＲｔｈが下記式（Ａ）、（Ｂ）を満たすＶＡ（垂直配向）型液晶表示装置。
（Ａ）  ４０ｎｍ  ≦Ｒｅ（５５０）≦  ２７５ｎｍ
（Ｂ）  ０ｎｍ  ≦Ｒｔｈ（５５０）≦  ２７５ｎｍ
〔式中、Ｒｅ（５５０）、Ｒｔｈ（５５０）は、波長５５０（ｎｍ）における面内、及び、厚み方向のレタデーション（ｎｍ）を表す〕
＜９＞
光源と、
一対の基板と該基板に挟持された液晶層とを有する液晶セルと、
ラクトン環含有重合体を含有する熱可塑性樹脂組成物を含むフィルムと
を少なくとも有し、
該フィルムが、該液晶セルの該光源に近い側に配置されているＶＡ（垂直配向）型液晶表示装置。
本発明は、上記＜１＞〜＜９＞に係る発明であるが、以下、それ以外の事項についても記載している。
［１］  光源と、一対の基板と該基板に挟持された液晶層とを有する液晶セルと、ラクトン環含有重合体を含有する熱可塑性樹脂組成物を含むフィルムとを少なくとも有し、該フィルムが、該液晶セルの該光源に近い側に配置されているＶＡ（垂直配向）型液晶表示装置。
［２］  ラクトン環含有重合体を含有する熱可塑性樹脂組成物を含むフィルムを少なくとも有し、該フィルムの面内レタデーション（Ｒｅ）及び厚さ方向レタデーション（Ｒｔｈ）がそれぞれ１０ｎｍ以下であり、該フィルム上に光学異方性層を有することを特徴とするＶＡ（垂直配向）型液晶表示装置。
［３］  前記光学異方性層は、前記フィルムに、液状化されたポリマーを塗布することにより形成される、前記［２］に記載のＶＡ（垂直配向）型液晶表示装置。
［４］  前記光学異方性層はポリイミドを含む、前記［２］に記載のＶＡ（垂直配向）型液晶表示装置。
【手続補正３】
【補正対象書類名】明細書
【補正対象項目名】００１８
【補正方法】削除
【補正の内容】